(57)【要約】      （修正有）【課題】庫内貯蔵室を十分に照らすことができる冷蔵庫を提供する。【解決手段】冷蔵庫は、冷蔵室２と、冷蔵室２内に設けられ、冷蔵室２とは異なる温度帯に設定可能なチルド室８（庫内貯蔵室）と、チルド室８の後部側であってチルド室８の天板９よりも下方に設けられ、前方に向かって光を照射することによりチルド室８内を後部側から照らす照明装置１６と、を備える。【選択図】図２
2018044743.tif 000002
【特許請求の範囲】
【請求項１】
冷蔵室と、
前記冷蔵室内に設けられ、当該冷蔵室とは異なる温度帯に設定可能な庫内貯蔵室と、
前記庫内貯蔵室の後部側であって前記庫内貯蔵室の天板よりも下方に設けられ、前方に向かって光を照射することにより前記庫内貯蔵室を後部側から照らす照明装置と、を備える冷蔵庫。
【請求項２】
前記照明装置は、光源と、前記光源からの光が通過する開口が形成されているカバー部材と、透光性材料で形成され、前記開口を塞ぐ窓部材とを有し、
前記窓部材は、前記開口に対応する部位に、前記光源からの光を拡散する拡散部が形成されている請求項１記載の冷蔵庫。
【請求項３】
前記拡散部は、縦方向に延びる複数の溝部によって形成され、前記光源からの光を横方向に拡散させることを特徴とする請求項２記載の冷蔵庫。
【請求項４】
前記照明装置は、前記カバー部材と前記窓部材との間を気密且つ水密に充填するシール部材を備える請求項２または３記載の冷蔵庫。
【請求項５】
前記照明装置は、内部に、前記光源からの光を反射する内部反射部材を備える請求項２から４のいずれか一項記載の冷蔵庫。
【請求項６】
内部反射部材は、前記窓部材を固定するアルミテープである請求項５記載の冷蔵庫。
【請求項７】
前記庫内貯蔵室の後方に設けられている冷気を生成する冷気室を覆うとともに、生成した冷気を前記庫内貯蔵室に供給する供給口が設けられている冷気室カバーを備え、
前記照明装置は、前記冷気室カバーと前記庫内貯蔵室との間に設けられている請求項１から６のいずれか一項記載の冷蔵庫。
【請求項８】
前記庫内貯蔵室は、透光性の材料で形成され、後部中央に前方側に窪んだ凹部が形成されている貯蔵容器を有し、
前記照明装置は、前記貯蔵容器の前記凹部に対応する位置に設けられている請求項７記載の冷蔵庫。
【発明の詳細な説明】
【技術分野】
【０００１】
本発明の実施形態は、冷蔵庫に関する。
【背景技術】
【０００２】
従来、冷蔵室内に、冷蔵室とは異なる温度帯に設定可能ないわゆるチルド室等の庫内貯蔵室を設けた冷蔵庫が知られている（例えば、特許文献１参照）。
【先行技術文献】
【特許文献】
【０００３】
【特許文献１】特許第５８４５４３５号公報
【発明の概要】
【発明が解決しようとする課題】
【０００４】
しかしながら、従来では、庫内貯蔵室は、冷蔵室内を照らす照明によって間接的に照らされており、実際の利用時においては、冷蔵庫の棚板に食材が載置されること、また、庫内貯蔵室にも食材が収容されていることから、庫内貯蔵室を十分に照らすことができなかった。
そこで、庫内貯蔵室を十分に照らすことができる冷蔵庫を提供する。
【課題を解決するための手段】
【０００５】
実施形態の冷蔵庫は、冷蔵室と、冷蔵室内に設けられ、当該冷蔵室とは異なる温度帯に設定可能な庫内貯蔵室と、庫内貯蔵室の後部側であって庫内貯蔵室の天板よりも下方に設けられ、前方に向かって光を照射することにより庫内貯蔵室を後部側から照らす照明装置と、を備える。
【図面の簡単な説明】
【０００６】
【図１】実施形態の冷蔵庫を模式的に示す図
【図２】庫内貯蔵室としてのチルド室の構成を模式的に示す図
【図３】照明装置の配置を模式的に示す図
【図４】照明装置の構成を模式的に示す図
【図５】光源としてのＬＥＤが設けられている回路基板を模式的に示す図
【発明を実施するための形態】
【０００７】
以下、実施形態について、図１から図５を参照しながら説明する。
図１に示すように、冷蔵庫１は、断熱性を有するキャビネットにより構成されており、その内部に上から順に冷蔵室２、野菜室３が設けられており、野菜室３の下に製氷室４と上部冷凍室５が左右に並んで設けられ、最下部に下部冷凍室６が設けられている。このうち、上部の冷蔵室２と野菜室３は冷蔵温度帯の貯蔵室であり、製氷室４、上部冷凍室５および下部冷凍室６は冷凍温度帯の貯蔵室である。また、冷蔵室内の最下段には、後述するチルド室８が設けられている。
【０００８】
このチルド室８は、冷蔵室２とは異なる温度帯に設定可能な庫内貯蔵室に相当し、概ね冷蔵庫１の右端側から左扉２ａの一部に掛かる程度の横幅、且つ、冷蔵室２の概ね後端から前端までの奥行きに形成されている。またチルド室８は、一般的な成人の目線の高さよりも下方に位置にして設けられている。
【０００９】
これら冷蔵室２、野菜室３、製氷室４、上部冷凍室５および下部冷凍室６は、周知のように前面開口を有し、その前面開口が扉によって開閉される。具体的には、冷蔵室２は、左右に並んで設けられ、左端側を軸に回動する左扉２ａと、右端側を軸に回動する右扉２ｂとによって前面開口が開閉される。また、野菜室３、製氷室４、上部冷凍室５および下部冷凍室６は、引き出し式の野菜室扉３ａ、製氷室扉４ａ、上部冷凍室扉５ａおよび下部冷凍室扉６ａによってそれぞれの前面開口が開閉される。これら野菜室扉３ａ、製氷室扉４ａ、上部冷凍室扉５ａおよび下部冷凍室扉６ａには、図示は省略するが扉とともに引き出される貯蔵容器が設けられている。
【００１０】
左扉２ａには、操作パネル７が設けられている。この操作パネル７は、冷蔵庫１の動作状態や、ユーザによって設定された運転モード等の表示を行う表示部として機能する。また、操作パネル７は、図示しない静電式のタッチパッドが設けられており、ユーザのタッチ操作を受け付ける操作部としても機能する。
次に、上記した構成の作用について説明する。
【００１１】
チルド室８は、図２に示すように、天板９、天板９の下方に配置され、前方つまりは図示左方側に引き出し可能な貯蔵容器である上部容器１０、上部容器１０の下方に配置され、前方に引き出し可能な下部容器１１を備えている。また、図示は省略するが、天板９の上方には例えばガラスや樹脂材料等の透明な部材によって形成され、冷蔵室２に収容する食材等を載置するための棚板が設けられており、下部容器１１の下方には冷蔵室２と野菜室３とを仕切る断熱仕切り板が設けられている。
【００１２】
つまり、チルド室８は、冷蔵室２内の最下段であって、冷蔵室２の棚板、断熱仕切り板および後述する冷気室カバー１２に囲まれた空間に設けられている。また、チルド室８は、図１に模式的に示すように高さ寸法よりも幅寸法の方が長く、横方向に幅広に形成されている。
【００１３】
チルド室８の天板９は、板状に形成されており、その後端部が冷気室カバー１２に当接する態様で概ね水平に設けられている。本実施形態の場合、天板９は、少なくとも一部に例えばガラスや樹脂材料等で形成された透明部が設けられている。そのため、冷蔵室２の棚板に食材等が載置されていない場合やその量が少ない場合には、例えば白色系の光を照射する冷蔵室用の庫内照明がチルド室８内を照らすことになり、棚板および天板９を通してチルド室８内を視認することが可能である。
【００１４】
この天板９の前端部には、天板９側の端部近傍を中心に回動可能であり、チルド室８の前面開口を開閉する蓋部材１３が設けられている。この蓋部材１３は、上部容器１０がチルド室８内に収納されている状態においては、天板９と反対側となる端部と上部容器１０の取手部１０ａとによりチルド室８の前面開口を概ね閉鎖した状態になる。一方、蓋部材１３は、上部容器１０を引き出す際には、上方に突出するように成形されている上部容器１０の左右の壁部によって上方に回動し、上部容器１０の引き出しを阻害しない状態になる。この蓋部材１３は、チルド室８の横幅方向の概ね全域に渡る横幅に設定されている。
【００１５】
上部容器１０は、例えば樹脂材料等の透明な部材によって形成されている。この上部容器１０の底部には、概ね底部全域を覆う大きさに形成されている皿部材１４が設けられている。この皿部材１４は、金属材料、例えば本実施形態ではアルミで形成されており、その表面において光を反射可能なものである。
【００１６】
また、上部容器１０は、図示しない支持部によって左右両側から指示されており、下部容器１１とは個別に引き出し可能になっている。また、上部容器１０は、図３に示すように、冷気室カバー１２側となる後端部における左右方向の概ね中央に、前方側に窪んだ凹部１０ｂが形成されている。
下部容器１１は、例えば樹脂材料等の透明な部材によって形成されている。また、下部部容器は、図示しない支持部によって左右両側から引き出し可能に支持されている。
【００１７】
チルド室８の後方に設けられている冷気室カバー１２は、図２に示すように、前方に突出する形状に形成されており、その内部に、チルド室８に供給する冷気を生成するための冷気室１５が形成されている。この冷気室１５で生成された冷気は、図示しないダンパ機構で分配されることにより、天板９よりも下方に位置して設けられている供給口１２ａからチルド室８内に供給される。
【００１８】
この冷気室カバー１２の前面には、冷蔵室２の左扉２ａまたは右扉２ｂの少なくとも一方が開放された際に点灯してチルド室８内を照らす照明装置１６が設けられている。この照明装置１６は、チルド室８内に設けられている透明な上部容器１０と冷気室カバー１２との間であって、チルド室８の後部側に位置して設けられている。つまり、照明装置１６は、図３に示すように、上部容器１０の後端に形成されている凹部１０ｂと冷気室カバー１２との間に形成されるスペースに配置されている。
【００１９】
そして、照明装置１６は、図２および図３に示すように、概ね上部容器１０の高さ寸法と同程度の高さ寸法に形成されており、上記したスペースから、つまりは、上部容器１０の凹部１０ｂに対応する位置から、チルド室８内を後部側から照らす。なお、上部容器１０は透明であるため、上部容器１０の後部側に照明装置１６を設けても、チルド室８内を照らすことができる。
【００２０】
この照明装置１６は、内部に収容している回路基板１７（図２参照）に設けられているＬＥＤ１８（図４参照）を光源として、チルド室８内を照らす構成となっている。具体的には、照明装置１６は、図４に示すように、例えば樹脂材料により形成され、平坦な前面部にＥＤ１８からの光を外部に照射するための開口１９ａが形成されているカバー部材１９と、例えば樹脂材料のような透光性材料で形成され、カバー部材１９の裏面側に取り付けられて開口１９ａを塞ぐ窓部材２０とを有している。
【００２１】
カバー部材１９の開口１９ａは、上端が上部容器１０の上端よりも下方側に位置し、且つ、下端が上部容器１０の下端よりも上方側に位置するように形成されている。つまり、照明装置１６は、上部容器１０の高さ寸法の範囲内から光を照射する構造となっている。
窓部材２０は、開口１９ａよりも外形が大きい概ね平板状に形成されており、左右両側の上端薄肉部２０ａがカバー部材１９の裏面に設けられている図示しない嵌合部に嵌合し、下端側に後方に突出するように形成されているフランジ部２０ｂがカバー部材１９の裏面に設けられている係合部１９ｂに係合することにより、カバー部材１９の裏面に押し付けられた状態で開口１９ａを塞ぐ構造になっている。
【００２２】
このとき、カバー部材１９の裏面と窓部材２０との間には、塑性変形することによりカバー部材１９と窓部材２０の間を気密且つ水密に充填するシール部材２１が設けられている。これにより、照明装置１６の内部を密閉空間とすることが可能となり、ＬＥＤ１８および窓部材２０の裏面側への結露が防止され、電気的な安全性の確保と、裏面に水滴が付着した際の照明のムラといった照明演出の阻害を防止できる。なお、図示は省略するが、カバー部材１９と冷気室カバー１２との間も水密且つ気密とされている。
【００２３】
また、窓部材２０は、開口１９ａに対応する部位に、ＬＥＤ１８からの光を拡散する拡散部２０ｃが形成されている。本実施形態の場合、拡散部２０ｃは、縦方向に延びる複数の溝部２０ｄによって形成されており、ＬＥＤ１８からの光を横方向つまりはチルド室８の幅方向に拡散させる。これにより、チルド室８の後部側のほぼ中央位置に配置されている照明装置１６によって、幅広のチルド室８内の概ね全域を照らすことが可能となる。また、この拡散部２０ｃは、ユーザがＬＥＤ１８を直接的に視認しないようにするための目隠しとしても機能する。
【００２４】
また、窓部材２０は、アルミテープ２２によってカバー部材１９の裏面に貼り付けられている。このアルミテープ２２は、表面が金属光沢を有しており、光を効率よく反射する。このため、アルミテープ２２は、窓部材２０を固定する固定部材として機能するだけでなく、照明装置１６の内部においてＬＥＤ１８の光を反射する内部反射部材としても機能する。
【００２５】
照明装置１６の内部には、図２に示すように、回路基板１７が収容されている。この回路基板１７は、図４に示すように、その表面に光源となるＬＥＤ１８が設けられている。本実施形態の場合、回路基板１７には３つのＬＥＤ１８ａ〜１８ｃが設けられており、ＬＥＤ１８ａは白色、ＬＥＤ１８ｂは青色、ＬＥＤ１８ｃは白色の光を照射する。これらＬＥＤ１８ａ〜１８ｃが点灯された場合、概ね青系統の寒色の光が生成される。また、青色と白色とを混在させているため、単色ではなく、淡い青色の光が生成される。なお、図示は量略するが、回路基板１７には、ＬＥＤ１８の駆動回路や図示しない制御部との接続用コネクタ等も設けられている。
【００２６】
この回路基板１７は、図２に示すように、ＬＥＤ１８ａ〜１８ｃが上向きとなる状態で、また、その長手方向がチルド室８の幅方向に沿った状態で、概ね水平に配置されている。つまり、光源の照射方向と、開口１９ａつまりは照明装置１６から光が照射される方向とは、互いに異なっている。
また、回路基板１７は、カバー部材１９の開口１９ａの下端よりも下方に位置するように配置されている。このため、ＬＥＤ１８ａ〜１８ｃからの光が直接的に前方に照射されることが抑制され、一般的には輝度が高い光を照射するＬＥＤ１８ａ〜１８ｃであっても、拡散部２０ｃで光が拡散されることも併せて、局部的に輝度が高くなってＬＥＤ１８ａ〜１８ｃの位置がユーザに把握されて照明演出を阻害するような状況を抑制することができる。
【００２７】
また、本実施形態の場合、冷蔵室２の庫内照明は概ね白色系の光に設定されているため、照明装置１６は、冷蔵室２の庫内照明とは異なる色であって、より青みがかった光を照射することになる。これにより、チルド室８が冷蔵室２よりも低温に設定可能であることを、視覚的にユーザに提示することができる。
【００２８】
以上説明した冷蔵庫１によれば、次のような効果を得ることができる。
冷蔵庫１は、冷蔵室２と、冷蔵室２内に設けられ、当該冷蔵室２とは異なる温度帯に設定可能なチルド室８（庫内貯蔵室）と、チルド室８の後部側であってチルド室８の天板９よりも下方に設けられ、前方に向かって光を照射することによりチルド室８内を後部側から照らす照明装置１６と、を備える。
【００２９】
これにより、チルド室８内を直接的に照らすことができ、従来のように冷蔵室２の庫内照明等によって間接的に照らすものに比べて、十分な光量を確保することが可能となる。また、従来では冷蔵室２の棚板に食材が載置されるとチルド室８内を十分に照らすことができなかったのに対し、チルド室８に専用の照明装置１６を設けたことにより、棚板に載置されている食材の量にかかわらず、チルド室８内を照らすことが可能となる。したがって、チルド室８内を十分に照らすことができ、チルド室８内に収容されている食材等の視認性を高めることができる。
【００３０】
照明装置１６は、光源としてのＬＥＤ１８と、ＬＥＤ１８からの光が通過する開口１９ａが形成されているカバー部材１９と、透光性材料で形成され、開口１９ａを塞ぐ窓部材２０とを有し、窓部材２０は、開口１９ａに対応する部位に、ＬＥＤ１８からの光を拡散する拡散部２０ｃが形成されている。これにより、ＬＥＤ１８からの光が拡散され、チルド室８内を広く照らすことができる。また、一般的な成人の目線の高さよりも下方に位置する照明装置１６から直接的に光が目に届くことが防止され、まぶしさを低減することができる。
【００３１】
拡散部２０ｃは、縦方向に延びる複数の溝部２０ｄによって形成され、ＬＥＤ１８からの光を横方向に拡散させる。これにより、実施形態のように幅広に形成されているチルド室８内を、横方向に広く照らすことができる。
【００３２】
照明装置１６は、カバー部材１９と窓部材２０との間を気密且つ水密に充填するシール部材２１を備える。これにより、照明装置１６が密閉され、内部に収容している回路基板１７やＬＥＤ１８への結露を防ぐことができるとともに、窓部材２０の裏面側への結露を防ぐことができる。したがって、電気的な安全性を確保することができるとともに、窓部材２０の裏面に付着した水滴によって照明にムラができて照明演出が阻害されてしまうことを防止できる。
【００３３】
照明装置１６は、内部に、ＬＥＤ１８からの光を反射する内部反射部材を備える。これにより、ＬＥＤ１８からの光が照明装置１６内で反射することにより、内部反射部材を設けない場合と比べて、照明装置１６の外側つまりはチルド室８内へ照射される光量を相対的に多くすることができる。
このとき、窓部材２０を固定するアルミテープ２２を内部反射部材として利用することにより、固定部材と内部反射部材とを兼用することができる。
【００３４】
照明装置１６は、チルド室８の後方に設けられている冷気室カバー１２とチルド室８との間に設けられている。つまり、照明装置１６は、チルド室８との間に、照射した光が遮られることが無い状態で配置されている。これにより、チルド室８内を十分な光量で照らすことができる。
【００３５】
チルド室８に設けられている上部容器１０（貯蔵容器）は、透光性の材料で形成されており、後部中央に前方側に窪んだ凹部１０ｂが形成されている。そして、照明装置１６は、上部容器１０の凹部１０ｂに対応する位置に設けられている。これにより、冷蔵室２の収納容量を減らすことなく照明装置１６を配置するスペースを確保できるとともに、照明装置１６を上部容器１０の近傍に配置することが可能となり、チルド室８内を照らすのに十分な光量を確保することができる。
【００３６】
実施形態の場合、上部容器１０の底板に、例えばアルミ製の皿部材１４を載置している。そして、照明装置１６は、上部容器１０の高さ寸法の範囲内から光を照射する。このため、照明装置１６から照射された光は、チルド室８内において、皿部材１４の表面で反射する。これにより、チルド室８内をより一層照らすことができる。勿論、金属材料をもちいたことにより、皿部材１４に載置した食材に対する冷却効率を向上させる効果も得ることができる。
【００３７】
また、皿部材１４の表面で反射した光は、天板９および冷蔵室２の棚板を通って視認することができる。このとき、棚板に食材が載置されていても、その隙間から光を視認することができる。これにより、ユーザにチルド室８の存在をアピールすることができ、チルド室８の利用を促すことで新鮮な状態の食材を提供できるようになる。
【００３８】
（その他の実施形態）
実施形態で例示した冷蔵庫１の構成は一例であり、貯蔵室の数や配置、種類や大きさ等が異なっていてもよい。例えば、上部冷凍室５は、温度帯を変更可能ないわゆる多目的室等であってもよい。また、実施形態では冷蔵室２を観音開きの扉で開閉する構成を例示したが、片開きの扉で開閉する構成でも良い。
【００３９】
実施形態では内部反射部材として窓部材２０を固定するアルミテープ２２を例示したが、例えば金属光沢が出る塗料でカバー部材１９の裏面を塗装することにより、カバー部材１９の裏面を内部反射部材として利用することもできる。また、アルミテープ２２を、窓部材２０の周囲以外のカバー部材１９の裏面に設けることもできる。
【００４０】
実施形態では拡散部２０ｃとして縦方向に延びる複数の溝部２０ｄを例示したが、これに限定されない。拡散部２０ｃは、ＬＥＤ１８の光を拡散できる形状であれば、波形、矩形、円形、サンドブラスト仕上げ等、他の形状を採用することもできる。この場合、ＬＥＤ１８からの光をチルド室８の幅方向に拡散させることができるとなお良い。また、光源は、ＬＥＤ１８に限らず、例えば有機ＥＬなど他の方式のものを採用することができる。
実施形態では回路基板１７を開口１９ａの下端よりも下方に配置した例を示したが、開口１９ａの上端よりも上方に配置することもできる。
【００４１】
照明装置１６の下部側にも開口を設けて、下部容器１１側を照らす構成とすることもできる。これにより、上部容器１０に皿部材１４を載置しない場合等において、下部容器１１内の食材の視認性を高めることができる。
【００４２】
各実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００４３】
図面中、  １は冷蔵庫、２は冷蔵室、８はチルド室（庫内貯蔵室）、１０は上部容器（貯蔵容器）、１０ｂは凹部、１１は下部容器（貯蔵容器）、１２は冷気室カバー、１２ａは供給口、１６は照明装置、１８ａ〜１８ｃはＬＥＤ（光源）、１９はカバー部材、１９ａは開口、２０は窓部材、２０ｃは拡散部、２０ｄは溝部（拡散部）、２１はシール部材、２２はアルミテープ（内部反射部材）を示す。
【図１】
2018044743.tif 000003
【図２】
2018044743.tif 000004
【図３】
2018044743.tif 000005
【図４】
2018044743.tif 000006
【図５】
2018044743.tif 000007